(57)【特許請求の範囲】
【請求項１】
倒立型顕微鏡本体の周囲部に、少なくともステージハンドル、レボルバガイド用ハンドルを含む操作部を露出させた状態で、外装されて前記倒立型顕微鏡本体の外部側と熱的に遮蔽する第１の保温箱と、
前記第１の保温箱に内装されない露出部位である倒立型顕微鏡本体の基台の周囲部に外装され、前記基台を含む露出部位を前記倒立型顕微鏡本体の外部側と熱的に遮蔽する第２の保温箱と
を具備することを特徴とする顕微鏡用保温装置。
【請求項２】
前記第１の保温箱は、略立方体状の箱体を縦割りに２分割した有底筒状の第１及び第２の上部箱半体で形成されており、前記第１及び第２の上部箱半体の開口側切断面が前記倒立型顕微鏡本体の基台の周囲部、及び前記基台に設置された支柱の中間部に対して気密に当接するように切欠き形成されていることを特徴とする請求項１記載の顕微鏡用保温装置。
【請求項３】
前記第２の保温箱は、有底筒状の箱体を開放側より縦割りに２分割した形状の第１及び第２の下部箱半体で形成されており、前記第１及び第２の下部箱半体の切断面の下部側が前記倒立型顕微鏡本体の基台の下端周囲部に対応して切欠き形成され、前記第１及び第２の下部箱半体の開放側の周端が前記第１及び第２の上部箱半体の壁面に当接されて組付けられることを特徴とする請求項１記載の顕微鏡用保温装置。
【請求項４】
前記第２の保温箱は、前記第１の保温箱に対して離脱自在に連結されることを特徴とする請求項１又は３記載の顕微鏡用保温装置。
【請求項５】
前記第１の保温箱は、前記第２の保温箱と連通するための閉塞自在な連通窓を
備えることを特徴とする請求項１乃至４のいずれか記載の顕微鏡用保温装置。
【請求項６】
前記連通窓を通して前記第１の保温箱と前記第２の保温箱の内部に温風を送風して前記第１の保温箱と前記第２の保温箱の内部環境温度を略均一に設定することを特徴とする請求項５記載の顕微鏡用保温装置。
【発明の詳細な説明】
【０００１】
【発明の属する技術分野】
この発明は、例えば倒立型顕微鏡等の顕微鏡に装着された培養容器等の標本を所望の温度に設定した状態での観察を可能とする顕微鏡用保温装置に関する。
【０００２】
【従来の技術】
従来より、この種の顕微鏡用保温装置としては、特開平８―１１４４７５０号公報及び特開平９―２１９６０号公報等に開示される保温構造技術が知られている。
【０００３】
このような保温構造技術は、いずれも保温箱を、箱体を二分割した第１及び第２の箱半体で形成して、この保温箱を、基台に設置した顕微鏡本体を内包するように基台に取付ける。そして、この保温箱には、外部に配置した温風ファン装置が連結され、この温風ファン装置より温風が供給されて、その内部に収容されるステージに載置された培養容器等の標本を、所望の温度に温度制御する。この際、保温箱内に供給された温風は、保温箱内を循環した後、その顕微鏡本体との間に形成される間隙より外部に排気される。
【０００４】
上記温風ファン装置は、保温箱内の温度に基づいて所定の温風を該保温箱内規供給することにより、保温箱内の温度を略一定に温度制御する。
【０００５】
ところが、上記顕微鏡用保温装置では、いずれもその顕微鏡本体のステージに載置された標本の温度を略一定に設定することが可能であるが、そのステージを含む周囲部位と熱的に結合される基台が、外気にさらされている状態のために、相互間に温度差が生じ、そのステージを含む周囲部位に温度勾配が発生する。この温度勾配が発生すると、材質の異なるステージを含む周囲部位に熱変形が発生し、撮像用対物レンズの作動距離が変化して、フォーカスずれを起こすという不具合を有する。
【０００６】
特に、顕微鏡システムにあっては、高倍率での観察を続ける構成を採っているために、いわゆるタイムラプス測定と称する長時間測定を行う場合、その時間経過にともなって撮像用対物レンズの作動距離の変化によるフォーカスずれが、高精度な観察を実現するうえにおける課題の一つとなっている。
【０００７】
【発明が解決しようとする課題】
以上述べたように、従来の顕微鏡用保温装置では、熱変形により、フォーカスずれを起こすという不具合を有する。
【０００８】
この発明は上記の事情に鑑みてなされたもので、構成簡易にして、使用形態の多様化を実現したうえで、信頼性の高い高精度な観察を実現し得るようにした顕微鏡用保温装置を提供することを目的とする。
【０００９】
【課題を解決するための手段】
この発明は、倒立型顕微鏡本体の周囲部に、少なくともステージハンドル、レボルバガイド用ハンドルを含む操作部を露出させた状態で、外装されて前記倒立型顕微鏡本体の外部側と熱的に遮蔽する第１の保温箱と、前記第１の保温箱に内装されない露出部位である倒立型顕微鏡本体の基台の周囲部に外装され、前記基台を含む露出部位を前記倒立型顕微鏡本体の外部側と熱的に遮蔽する第２の保温箱とを備えて顕微鏡を構成した。
【００１０】
上記構成によれば、第１の保温箱内は、供給される温風により、内部が熱制御されて顕微鏡本体の周囲を所望の温度に設定する。同時に、第２の保温箱は、顕微鏡本体の操作部及び基台を覆い外界との熱的結合を遮断して、これら顕微鏡本体の第１の保温箱から露出される露出部位の温度勾配を最小限に設定する。これにより、顕微鏡本体を所望の温度に保ったうえで、顕微鏡本体の操作部及び基台の熱変形が防止され、熱変形によるフォーカスずれを防止した信頼性の高い高精度な観察動作が可能となる。
【００１１】
また、この発明は、第２の保温箱を、第１の保温箱に対して離脱自在に連結して配置するように構成した。
【００１２】
上記構成によれば、第１の保温箱のみを組付けた周辺スペースの有効利用を実現する使用形態と、第１の保温箱及び第１の保温箱の双方を組付けたフォーカスずれを防止した使用形態を実現することが可能となり、使用形態の多様化を実現することができる。
【００１３】
また、この発明は、さらに、第１の保温箱に、第２の保温箱と連通するための閉塞自在な連通窓を備えて構成した。
【００１４】
上記構成によれば、連通窓を開くことにより、第１の保温箱と第２の保温箱は、相互間が連通窓を介して連通され、第２の保温箱内も第１の保温箱内と略同様に加熱制御される。これにより、第１及び第２の保温箱内の環境温度の均一化が図れて、さらに熱変形の防止が図れる。
【００１５】
【発明の実施の形態】
以下、この発明の実施の形態について、図面を参照して詳細に説明する。
【００１６】
図１は、この発明の一実施の形態の係る顕微鏡用保温装置を示すもので、例えばアクリル樹脂で形成される略箱状の第１及び第２の保温箱１０、１１で形成される。
【００１７】
このうち、第１の保温箱１０は、倒立型顕微鏡本体１２の周囲部に、少なくとも操作部、例えばステージハンドル１３、レボルバガイド用ハンドル１４を露出させた状態で、外装されて外部側と熱的に遮蔽する。他方、第２の保温箱１１は、上記倒立型顕微鏡本体１２の上記第１の保温箱１０に内装されない露出部位である基台１５の周囲部に外装され、基台１５を含む露出部位を外部側と熱的に遮蔽する。
【００１８】
上記第１の保温箱１０は、例えば略立方体状の箱体を縦割りに二分割した有底筒状の第１及び第２の上部箱半体１０１、１０２で形成される。これら第１及び第２の上部箱半体１０１、１０２は、その切断面（開口側）が倒立型顕微鏡本体１２の基台１５の周囲部及び支柱１６の中間部に対して気密に当接するように所定形状に切欠き形成される。そして、このうち第２の上部箱半体１０２には、操作ハンドル挿通用切欠き部１０２ａが倒立型顕微鏡本体１２のステージハンドル１３、レボルバガイド用ハンドル１４に対応して形成される。
【００１９】
これにより、これら第１及び第２の上部箱半体１０１、１０２は、その切断面の切欠き形状により、倒立型顕微鏡本体１２を覆うように外装されると、図示しない標本を載置するステージ１６近傍を内装した状態で、例えば基台１３、鏡筒１７及び支柱１６の一部を外部に延出した状態で所望の気密を保って合体結合される。
【００２０】
同時に、第２の上部箱半体１０２の切欠き部１０２ａには、上記倒立型顕微鏡本体１２に配設されるステージハンドル１３、レボルバガイド用ハンドル１４が挿通されて外部側に操作可能状態に露出される。この際、上記支柱１６に配設される光学系１８及びコンデンサ１９は、その光学系１８が第１及び第２の上部箱半体１０１、１０２の外部側に露出され、そのコンデンサ１９が第１及び第２の上部箱半体１０１、１０２の内部に収容される。
【００２１】
上記第１及び第２の上部箱半体１０１、１０２には、図２に示すように複数の取付孔１０１ｂ、１０２ｂが上記基台１５に設けられる複数の螺子孔１５１に対応して設けられ、この取付孔１０１ｂ、１０２ｂを利用して図示しない螺子部材が基台１５の螺子孔１５１に螺着されて基台１５に組付けられる。
【００２２】
また、第１及び第２の上部箱半体１０１、１０２には、その切断面（開口側）近傍における前面側、背面側及び側面側の複数箇所に係着機構として対を形成する係着レバー２０及び係着爪２１が対応して設けられる。これら係着レバー２０及び係着爪２１は、その係着レバー２０を係着操作して、係着爪２１に係着あるいは係着解除することで、第１及び第２の上部箱半体１０１、１０２の合体結合あるいは合体分離を実現する。
【００２３】
さらに、上記第１及び第２の上部箱半体１０１、１０２には、その前面側となる壁面に開閉扉２２がそれぞれ開閉自在に設けられる。この開閉扉２２は、その閉塞状態で、所望の気密を保ち、その開状態で、第１の保温箱１０を倒立型顕微鏡本体１２に組付けた状態での箱内部の各種操作、例えばコンデンサ１９、対物レンズレボルバ２３の調整や、図示しない標本の出し入れ等を実現する。
【００２４】
また、上記第２の上部箱半体１０２には、例えば図３に示すように倒立型顕微鏡本体１２のステージ２４より、上部に位置する所定の位置に温風ファン装置２５の吸気ノズルに接続される管路２５１が連結される。この温風ファン装置２５は、その信号入力端に、例えば第２の上部箱半体１０２の内部に設けられる図示しない温度センサの出力端が接続ケーブル２５２を介して接続され、この温度センサ（図示せず）の検出信号に基づいて第１の保温箱１０内が所望の温度を確保するように所望の温風を上記管路２５１を介して供給する。
【００２５】
これら第１及び第２の上部箱半体１０１、１０２には、その底面となる壁面に連通窓２６、２６が設けられ、この連通窓２６、２６には、閉塞扉２７、２７が、例えば螺子部材２８を用いてそれぞれ着脱自在に取付けられる（図２参照）。これにより、第１及び第２の上部箱半体１０１、１０２は、その閉塞扉２７、２７が離脱された状態で、その連通窓２６、２６を通して第２の保温箱１１との空気路が形成されて相互間が連通される。
【００２６】
他方、上記第２の保温箱１１は、例えば有底筒状の箱体を開放側より縦割りに二分割した形状の第１及び第２の下部箱半体１１１、１１２で形成される。これら第１及び第２の下部箱半体１１１、１１２は、その切断面の下部側が上記基台１５の下端周囲部に対応して所定形状に切欠き形成され、その開放側の周端が上記第１及び第２の上部箱半体１０１、１０２の取付孔１０１ｂ、１０２ｂの設けられる壁面に当接されで組付けられる。
【００２７】
これにより、第２の保温箱１１は、図４に示すように基台１５内に配設されるレボルバ駆動系を構成するレボルバ台２９、レボルバガイド３０、ピンオン３１、ラック３２、ピンオンレボルバガイド用ハンドル１４及びステージハンドル１３を覆って、これらレボルバ台２９、レボルバガイド３０、ピニオン３１、ラック３２、ピンオンレボルバガイド用ハンドル１４及びステージハンドル１３からの熱量の外部への放熱を低減すると共に、外部側からの外気の内部流入を規制する。
【００２８】
即ち、これら第１及び第２の下部箱半体１１１、１１２には、その相互の切断面に係着機構を構成する複数対の係着レバー３３及び係着爪３４が対応して設けられる。この係着レバー３３及び係着爪３４は、その係着レバー３３を係着操作して、係着爪３４に係着あるいは係着解除することで、第１及び第２の下部箱半体１１１、１１２の合体結合あるいは結合分離を実現する。
【００２９】
また、第１及び第２の下部箱半体１１１、１１２の開放側周囲部と、上記第１及び第２の上部箱半体１０１、１０２の取付孔１０１ｂ、１０２ｂの設けられる壁面との間の複数箇所には、係着機構として対を形成する係着レバー３５及び係着爪３６が対応して設けられる。この係着レバー３５及び係着爪３６は、その係着レバー３５を係着操作して、係着爪３６に係着あるいは係着解除することで、第１の保温箱１０と第２の保温箱１１との合体結合あるいは合体分離を実現する。
【００３０】
上記構成において、第１の保温箱１０のみを使用する第１の使用形態においては、第１の保温箱１０の第１及び第２の上部箱半体１０１、１０２を、その係着レバー２０を操作して係着爪２１から離脱させて二分割する。次に、この分割状態において、第１及び第２の上部箱半体１０１、１０２の取付孔１０１ｂ、１０２ｂを基台１５の螺子孔１５１に対向させ、その内部側より上記螺子部材（図示せず）を、取付孔１０１ｂ、１０２ｂに挿入して基台１５の螺子孔１５１に螺着することにより、図５に示すように基台１５に固定させる。
【００３１】
この際、倒立型顕微鏡本体１２は、その支柱１６及び鏡筒１７が第１及び第２の上部箱半体１０１、１０２の開口側の切欠き形状により、外部側に延出されると共に、そのステージハンドル１３、レボルバガイド用ハンドル１４が第２の上部箱半体１０２の切欠き部１０２ａより外部側に操作可能に延出される（図４参照）。そして、この第１の使用形態においては、例えば熱変形によるフォーカスずれによる測定誤差の虞のない観察が行われ、上述したように第１及び第２の上部箱半体１０１、１０２の開閉扉２２を開いて、その開口より所望の準備が行われる。
【００３２】
そして、第２の上部箱半体１０２の温風供給口には、温風ファン装置２５の供給ノズルに接続される管路２５１が連結され、観察準備が完了される。ここで、温風ファン装置２５が駆動され、第１の保温箱１０には、温風ファン装置２５より温風が供給される。これにより、第１の保温箱１０は、温風ファン装置２５からの温風が、内部循環して内部温度環境が所望の温度に設定され、所望の観察が行われる。この第１の使用形態においては、基台１５の周辺スペースを充分に利用した観察が行われる。
【００３３】
そして、この第１の使用形態においては、温風ファン装置２５より第１の保温箱１０内に供給された温風が、該第１の保温箱自体１０の間隙や、倒立型顕微鏡本体１２及び基台１５との間に生じる間隙により、外部に排気されることにより、第１の保温箱１０内の内部循環が行われる。
【００３４】
また、フォーカスずれの虞のある、例えばタイムプライス測定等の長時間に亘る観察を継続して行うような第２の使用形態においては、上述したように第１の保温箱１０を組付けた状態において、先ず、第２の保温箱１１の第１及び第２の下部箱半体１１１、１１２を合体する係着レバー３３を離脱操作して、係着爪３４から離脱させて分離させる。
【００３５】
この分離状態において、第１及び第２の下部箱半体１１１、１１２は、上記第１の保持箱１０の下部側に位置する基台１５を覆うように組付けて、上記係着レバー３３を係着操作して上記係着爪３４に係着することにより合体結合する。ここで、この基台１５を囲むように配置された第２の保温箱１１は、その第１及び第２の下部箱半体１１１、１１２の係着レバー３５を、第１の保温箱１０の第１及び第２の上部箱半体１０１、１０２の係止爪３６に対向させて係着操作して、該係止爪３５に係着することにより、第１の保温箱１０に対して離脱可能に合体結合される。
【００３６】
この際、第１の保温箱１０は、その第１及び第２の上部箱半体１０１、１０２の連通窓２６から閉塞扉２７がそれぞれ離脱されて連通窓が２６が開放される。ここで、第１及び第２の保温箱１０、１１は、その連通窓２６を介して相互の内部が連通され、上述したように温風ファン装置２５が駆動されて管路２５１を介して温風が第１の保温箱１０内に供給されると、その温風が上記連通窓２６を通って相互の内部に循環される。
【００３７】
この第２の使用形態においては、温風ファン装置２５より第１の保温箱１０内に供給された温風が、該第１及び第２の保温箱１０、１１自体の間隙や、倒立型倒立型顕微鏡本体１２及び基台１５との間に生じる間隙により、外部に排気されることにより、第１及び第２の保温箱１０、１１内の内部循環が行われる。
【００３８】
この第１及び第２の保温箱１０、１１の組付け状態において、図４に示すように第１の保温箱１０内には、倒立型顕微鏡本体１２を構成する上記ステージ２４、対物レンズ２３１、対物レンズレボルバ２３及びフレーム３７が収容され、第２の保温箱１１には、基台１０内に配設されるレボルバ駆動系を構成するレボルバ台２９、レボルバガイド３０、ピニオン３１、ラック３２、ピンオンレボルバガイド用ハンドル１４及びステージハンドル１３が収容される。ここで、第２の保温箱１１は、レボルバ台２９、レボルバガイド３０、ピニオン３１、ラック３２、レボルバガイド用ハンドル１４及びステージハンドル１３を外気から遮蔽して、その温度勾配の発生を押さえ、各部の熱変形の防止を図る。これにより、第１の保温箱１０に収容されるステージ２４、フレーム３７、対物レンズ２３１及び対物レンズレボルバ２３により決定されるフォーカスが初期状態に保つことが可能となる。
【００３９】
このように、上記顕微鏡用保温装置は、温風の供給される第１の保温箱１０で、基台１５に搭載された倒立型顕微鏡本体１２を、そのステージハンドル１３及びレボルバガイド用ハンドル１４を、操作自在に露出した状態で外装し、さらに上記倒立型顕微鏡本体１２のステージハンドル１３及びレボルバガイド用ハンドル１４を含む基台１５を、第２の保温箱１１で外装するように構成した。
【００４０】
これによれば、第１の保温箱１０内は、供給される温風により、内部が熱制御されて倒立型顕微鏡本体１２の周囲を所望の温度に設定し、第２の保温箱１１が、倒立型顕微鏡本体１２のステージハンドル１３、レボルバガイド用ハンドル１４及び基台１５を覆い外部との熱的結合を遮断して、これら倒立型顕微鏡本体１２のステージハンドル１３、レボルバガイド用ハンドル１４及び基台１５の温度環境を略一定に設定することにより、倒立型顕微鏡本体１２を所望の温度に保ったうえで、倒立型顕微鏡本体１２のステージハンドル１３、レボルバガイド用ハンドル１４及び基台１５の温度勾配が低減されて、その熱変形が防止される。これにより、観察時における熱変形によるフォーカスずれが防止されて信頼性の高い高精度な観察動作が可能となる。
【００４１】
また、上記第２の保温箱１１を、第１の保温箱１０に対して離脱自在に連結して配置するように構成した。これによれば、第１の保温箱１０のみを組付けた周辺スペースの有効利用を実現する第１の使用形態と、第１の保温箱１０及び第１の保温箱１１の双方を組付けたフォーカスずれを防止した第２の使用形態を実現することが可能となり、高精度な観察を実現したうえで、使用形態の多様化を実現することができる。
【００４２】
そして、これによれば、例えば、上述した第２の使用形態において、第２の保温箱１１を第１の保温箱１０から離脱させることにより、第１の保温箱１０内を所望の温度に保った状態を保持できることにより、観察中の標本の培養状態を維持することができると共に、良好な観察条件を顕微鏡本体の観察性能に影響を及ぼすことなく実行することができる。
【００４３】
また、第１の保温箱１０の第１及び第２の上部箱半体１０１、１０２に、第２の保温箱１１と連通するための連通窓２６を設けて、閉塞扉２７を介して選択的に閉塞するように構成した。これによれば、連通窓２６から閉塞扉２７を離脱することにより、第１の保温箱１０と第２の保温箱１１は、相互間が連通窓２６を介して連通され、第２の保温箱１１内も第１の保温箱１０内と略同様に加熱制御されることにより、これら第１及び第２の保温箱１０、１１内の環境温度の均一化が図れて、さらに熱変形の防止が図れる。
【００４４】
なお、上記実施の形態では、第１の保温箱１０に供給した温風を自然循環させる用に構成した場合で説明したが、これに限ることなく、例えば図６に示すように強制循環用送風ファン４０を第１の保温箱１０内に配設して、この送風ファン４０を利用して温風を強制循環させるように構成することも可能である。但し、図６においては、便宜上、上記図１乃至図５と同一部分については、同一符号を付して、その詳細な説明を省略する。
【００４５】
即ち、図６の実施の形態では、第１の保温箱１０を構成する第１及び第２の上部箱半体１０１、１０２の内部にファン取付フック４１を上記連通窓に対応して複数個、所定の間隔に設けて、これらファン取付フック４１には、送風ファン４０が取付部材４２を用いて取付ける。この送風ファン４０は、上記温風ファン装置２５の管路２５１を介して第１の保温箱１０内に温風が供給されると、図示しないコントローラを介して駆動制御される。これにより、送風ファン４０は、上述した第１の使用形態において、第１の保温箱１０に供給された温風を、強制的に循環案内して、内部環境温度を略均一的に設定する。
【００４６】
そして、上記第２の使用形態においては、送風ファン４０は、温風ファン装置より第１の保温箱１０内に供給された温風を、一方の連通窓２６を通して図６中矢印に示すように第２の保温箱１１に強制的に循環させ、且つ、第２の保温箱１１に導かれた温風を、他方の連通窓２６を通して強制的に第１の保温箱１０に循環案内して、第１及び第２の保温箱１０、１１内の環境温度を略一定に設定するように動作する。
【００４７】
なお、上記図６の実施形態では、送風ファン４０を複数個、第１の保温箱１０内に配設して、温風を強制循環させるように構成した場合で説明したが、これに限ることなく、送風ファン４０を、第１の保温箱１０内に１個配設して強制循環させるように構成してもよい。
【００４８】
また、上記実施の形態では、第１及び第２の保温箱１０、１１を、それぞれ二分割に形成する用に構成した場合で説明したが、この分割数に限ることなく、二分割以上の分割数に形成するように構成することも可能である。
【００４９】
さらに、上記各実施の形態では、倒立型顕微鏡に適用した場合で説明したが、これに限ることなく、その他、正立型顕微鏡においても適用可能であり、略同様の効果が期待される。
【００５０】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００５１】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５２】
【発明の効果】
以上詳述したように、この発明によれば、構成簡易にして、使用形態の多様化を実現したうえで、信頼性の高い高精度な観察を実現し得るようにした顕微鏡用保温装置を提供することができる。
【図面の簡単な説明】
【図１】この発明の一実施の形態に係る顕微鏡用保温装置の要部を取り出して示した分解斜視図である。
【図２】図１の第１の保温箱と倒立型顕微鏡本体とを分解して示した構成説明図である。
【図３】図１の第１及び第２の保温箱を倒立型顕微鏡本体に組付けた状態を示した構成図である。
【図４】図１の第１及び第２の保温箱の組付け状態における一部を破断して示した構成図である。
【図５】図１の第１の使用形態を説明するために示した構成図である。
【図６】この発明の他の実施の形態に係る顕微鏡用保温装置の要部を示した構成図である。
【符号の説明】
１０  …  第１の保温箱。
１０１  …  第１の上部箱半体。
１０１ｂ  …  取付孔。
１０２  …  第２の上部箱半体。
１０２ａ  …  切欠き部。
１０２ｂ  …  取付孔。
１１  …  第２の保温箱。
１１１  …  第１の下部箱半体。
１１２  …  第２の下部箱半体。
１２  …  倒立型顕微鏡本体。
１３  …  ステージハンドル。
１４  …  レボルバガイド用ハンドル。
１５  …  基台。
１５１  …  螺子孔。
１６  …  支柱。
１７  …  鏡筒。
１８  …  光学系。
１９  …  コンデンサ。
２０  …  係着レバー。
２１  …  係着爪。
２２  …  開閉扉。
２３  …  対物レンズレボルバ。
２３１  …  対物レンズ。
２４  …  ステージ。
２５  …  温風ファン装置。
２５１  …  管路。
２５２  …  接続ケーブル。
２６  …  連通窓。
２７  …  閉塞扉。
２８  …  螺子部材。
２９  …  レボルバ台。
３０  …  レボルバガイド。
３１  …  ピニオン。
３２  …  ラック。
３３、３５  …  係着レバー。
３４、３６  …  係着爪。
３７  …  フレーム。
４０  …  送風ファン。
４１  …  ファン取付フック。
４２  …  取付部材。
【図１】
0004854869.tif 000002
【図２】
0004854869.tif 000003
【図３】
0004854869.tif 000004
【図４】
0004854869.tif 000005
【図５】
0004854869.tif 000006
【図６】
0004854869.tif 000007